(57)【特許請求の範囲】
【請求項１】
（ａ）戸当り本体と、
（ｂ）該戸当り本体の一端に取り付けられた、弾性体からなる緩衝体と、
（ｃ）該緩衝体に取り付けられた磁石とからなり、
前記緩衝体において、磁性体からなる被当接対象に当接する面に前記磁石を配設するための凹部が形成され、
前記磁石が、前記凹部の外端縁よりも奥で、かつ前記緩衝体の弾性変形により前記被当接対象に接触し得る位置に、配設されてなり、若干の回動ができるように、前記緩衝体に対して軸の役割を担うようピンによって連結されてなる戸当り。
【請求項２】
前記磁石が、前記凹部の外端縁よりも０．５〜２ｍｍ程度奥に配設されてなる請求項１記載の戸当り。
【請求項３】
前記磁石が、磁石本体と、該磁石本体を挟む一対の磁性板とからなり、前記磁石本体の前端縁が、前記一対の磁性板の前端縁よりも奥に位置する請求項１または２記載の戸当り。
【請求項４】
前記一対の磁性板のうち、少なくとも一方の磁性板の対向面の前端付近において、凸部が設けられてなる請求項３記載の戸当り。
【請求項５】
前記ピンが磁性体で作製され、かつ、前記磁石における当該ピンと係合するための係合孔が当該ピンとの若干の遊びを有するように形成されてなる請求項１記載の戸当り。
【請求項６】
前記緩衝体が、強く回動させれば回動できるが抜き取ることができないように、前記戸当り本体に対して、リベットでかしめられてなる請求項１記載の戸当り。
【発明の詳細な説明】
【０００１】
【発明の属する技術分野】
本発明は戸当りに関する。さらに詳しくは磁石を備えた戸当りであって、戸などの被当接対象に衝突するときの異音の発生を防止でき、かつ磁石の耐久性を向上することができる戸当りに関する。
【０００２】
【従来の技術】
従来より、図４〜５に示すように、戸５０またはノブ５１が壁または戸５０周辺の家具やキャビネット５２などに衝突し、これらに損傷が生じるのを防ぐために戸当り５３が戸５０の付近の床５４に設けられている。
【０００３】
かかる戸当り５３としては、床５４に立設される雄ねじ（図示せず）に螺着される基部５５と、該基部５５の上部に固着される緩衝体５６とからなるものがある。
【０００４】
また、戸５０を開放状態にしておくために、前記基部５５内に差し込まれているＵ字状の止め金具５７を引き抜き、戸５０の側面に設けられた鉤付き座金５８の鉤部５９に係止するようにしている。
【０００５】
【発明が解決しようとする課題】
図４〜５示される戸当りは、戸５０を開放状態に維持したり、当該開放状態を解除するために、止め金具５７を戸５０側の鉤部５９に手で係止したり、外したりしなければならないため、手間がかかる。
【０００６】
そこで、戸当りに磁石を設けたものが従来から提案されている。かかる戸当りは、磁性体からなる戸または非磁性体からなる戸に取り付けられた磁性プレートなどの磁性体からなる被当接対象を、前記磁石に吸着させることによって、戸を一時的に開放状態に保持することができる。
【０００７】
しかし、このような磁石を備えた戸当りは、前記被当接対象に衝突するときに異音が発生するという問題がある．
また、この衝突時の衝撃が磁石に直接作用することによって、磁石の耐久性が低くなるという問題がある。
【０００８】
本発明はかかる問題を解消するためになされたものであり、磁石を備えた戸当りであって、戸などの被当接対象に衝突するときの異音の発生を防止でき、かつ磁石の耐久性を向上することができる戸当りを提供することを目的とする。
【０００９】
【課題を解決するための手段】
本発明の戸当りは、（ａ）戸当り本体と、
（ｂ）該戸当り本体の一端に取り付けられた、弾性体からなる緩衝体と、
（ｃ）該緩衝体に取り付けられた磁石とからなり、
前記緩衝体において、磁性体からなる被当接対象に当接する面に前記磁石を配設するための凹部が形成され、
前記磁石が、前記凹部の外端縁よりも奥で、かつ前記緩衝体の弾性変形により前記被当接対象に接触し得る位置に、配設されてなり、若干の回動ができるように、前記緩衝体に対して軸の役割を担うようピンによって連結されてなることを特徴とする。
【００１０】
前記磁石が、前記凹部の外端縁よりも０．５〜２ｍｍ程度奥に配設されてなるのが好ましい。
【００１１】
前記磁石が、磁石本体と、該磁石本体を挟む一対の磁性板とからなり、前記磁石本体の前端縁が、前記一対の磁性板の前端縁よりも奥に位置するのが好ましい。
【００１２】
前記一対の磁性板のうち、少なくとも一方の磁性板の対向面の前端付近において、凸部が設けられてなるのが好ましい。
【００１４】
前記ピンが磁性体で作製され、かつ、前記磁石における当該ピンと係合するための係合孔が当該ピンとの若干の遊びを有するように形成されてなるのが好ましい。
【００１５】
前記緩衝体が、強く回動させれば回動できるが抜き取ることができないように、前記戸当り本体に対して、リベットでかしめられてなるのが好ましい。
【００１６】
【発明の実施の形態】
以下、図面を参照しながら本発明の戸当りをさらに詳細に説明する。図１は本発明の戸当りの一実施の形態を示す斜視説明図、図２は図１の戸当りの断面説明図および図３は図１の磁石の拡大図である。
【００１７】
図１〜３に示される戸当りは、戸当り本体１と、該戸当り本体１の上端に取り付けられた、弾性体からなる緩衝体２と、該緩衝体２に取り付けられた磁石３とから構成されている。
【００１８】
戸当り本体１は、内部に形成された雌ねじ１ａを床に立設される雄ねじ（図示せず）に螺着させることにより、床に固定することができる。
【００１９】
緩衝体２は、ゴムまたは合成樹脂などの弾性材料で作製され、たとえば射出成形などで一体成形される。緩衝体２において、磁性体からなる被当接対象、たとえば戸Ｄにねじ止めまたは接着により取り付けられた磁性体プレート４に当接する面には、磁石３を配設するための凹部５が形成されている。
【００２０】
磁石３は、凹部５の外端縁６よりも奥で、かつ緩衝体２の弾性変形により磁性体プレート４に接触し得る位置に、配設されている。緩衝体２の弾性変形は、たとえば、凹部５の外端縁６の周辺部２ａおよび／または後述するピン１６と係合する部分２ｂにおける収縮などに基づいている。
【００２１】
本実施の形態では、磁性体からなる被当接対象として、磁性体プレート４を採用しているが、本発明はこれに限定されるものではなく、種々の磁性体のものを採用することができ、たとえば磁性体からなる戸そのものであってもよい。
【００２２】
以上の構成により、図１〜２に示されるように、戸Ｄを全開させれば、磁性体プレート４はまず緩衝体２に接触し、ついで緩衝体２が前記周辺部２ａおよび部分２ｂなどで弾性変形し、最後に磁石３に当接して戸Ｄを開放状態に保持する。このように、磁石３と磁性体プレート４とが当接する前に緩衝体２の弾性変形による緩衝作用により、磁性体プレート４または戸Ｄなどの被当接対象に衝突するときの異音の発生を防止でき、かつ磁石３の耐久性を向上することができる。
【００２３】
一方、戸Ｄの全開保持を解除したいときには、磁石３の吸引力に抗して、戸Ｄを閉めるだけでよい。
【００２４】
磁石３は、後述する磁性板８、９の前端縁１１、１２を基準として、凹部５の外端縁６よりも０．５〜２ｍｍ程度奥（図２の距離Ａ参照）に配設されているのが好ましい。その場合、磁石３（具体的には磁性板８、９の前端縁１１、１２）が、緩衝体２の弾性変形により磁性体プレート４に確実に接触することができる。
【００２５】
本実施の形態の磁石３は、磁石本体７と、該磁石本体７を挟む一対の磁性板８、９とからなり、磁石本体７の前端縁１０が、一対の磁性板８、９の前端縁１１、１２よりも奥に位置している。そのため、磁石本体７が直接磁性体プレート４に接触しないため、磁石本体７の耐久性がより向上する。
【００２６】
しかも、一対の磁性板８、９のそれぞれの対向面の前端付近において、凸部として、一対の突条１３が設けられている。そのため、磁石本体７を、磁性板８、９の前端縁１１、１２よりも奥の位置に確実に保持して磁性体プレート４と当接しないようにすることができる。なお、凸部は、磁性板８、９の少なくとも一方の対向面に設けられていればよく、突条１３の代わりに突起であってもよい。
【００２７】
さらに、本実施の形態では、戸Ｄの傾きやがたつきなどに対応できるように、磁石３は若干の回動ができるようになっている。具体的には、磁石３は、一対の磁性板８、９の後方の突出部１４の係合孔１５に挿入されたピン１６によって、緩衝体２に対して連結されている。
【００２８】
また、前記ピン１６を磁性体の小片（磁性体プレート４より小さい）で作製し、係合孔１５を、当該ピン１６との若干の遊びを有するように、たとえば前後方向に若干のびる長孔状に形成すれば、磁石３に磁性体プレート４が近づいたとき（ピン１６よりも磁性体プレート４への磁石３の吸引力が強いとき）に磁石３（具体的には図２の前端縁１０〜１２および突条１３）が磁性体プレート４に引きつけられて若干前方へ移動し、一方、磁性体プレート４が遠ざかったときに、磁石３がピン１６に引きつけられて若干後方へ移動できる。
【００２９】
また、本実施の形態では、緩衝体２は、強く回動させれば回動できるが抜き取ることができないように、前記戸当り本体１に対して、リベット１７でかしめられているため、戸当りを床に固定したのちに、緩衝体２を手などで強制的に回転させることにより、磁石３を前記磁性体プレート４に対して正面に向けさせるように微調整を行なうことができる。
【００３０】
さらに、図示されていないが、本実施の形態の戸当りの上部において、従来の戸当りのような止め金具（図５のＵ字状の止め金具５７など）を設ければ、当該止め金具を戸の一部（図５の鉤付き座金５８の鉤部５９など）に係止させることにより、強風を受けて戸が急に閉まる不具合がない。
【００３１】
【発明の効果】
本発明によれば、磁石を備えた戸当りであって、戸などの被当接対象に衝突するときの異音の発生を防止でき、かつ磁石の耐久性を向上することができる。
【図面の簡単な説明】
【図１】本発明の戸当りの一実施の形態を示す斜視説明図である。
【図２】図１の戸当りの断面説明図である。
【図３】図１の磁石の拡大図である。
【図４】従来の戸の固定状態を示す説明図である。
【図５】従来の戸当りを示す説明図である。
【符号の説明】
１  戸当り本体
２  緩衝体
３  磁石
４  磁性体プレート
５  凹部
６  外端縁
【図１】
0004095201.tif 000002
【図２】
0004095201.tif 000003
【図３】
0004095201.tif 000004
【図４】
0004095201.tif 000005
【図５】
0004095201.tif 000006